(57)【要約】  ミュートコマンドと、モニタリングされたオペレーティング条件とに基づいて、移動体通信デバイスのコンポーネントを中断させるためのシステムおよび方法を開示する。別の特定の実施形態では、方法は、移動体通信デバイスがオーディオコンテンツ処理を実行している間、移動体通信デバイスにおいてミュートコマンドを受け取ることを含む。方法は、ミュートコマンドの受け取りに応答して、移動体通信デバイスのオペレーティング条件をモニタリングすることも含む。方法は、モニタリングされたオペレーティング条件に基づいて、オーディオコンテンツ処理を実行するために使用されるコンポーネントを中断させるか否かを決定することを含む。【選択図】図１
2013535933.tif 000002
【特許請求の範囲】
【請求項１】
移動体通信デバイスがオーディオ処理を実行している間、前記移動体通信デバイスにおいてミュートコマンドを受け取ることと、
前記ミュートコマンドの受け取りに応答して、前記移動体通信デバイスのオペレーティング条件をモニタリングすることと、
前記モニタリングされたオペレーティング条件に基づいて、前記オーディオ処理を実行するために使用されるコンポーネントを中断させるか否かを決定することとを含む方法。
【請求項２】
前記オペレーティング条件は、前記移動体通信デバイスに対して利用可能なネットワーク帯域幅を含む請求項１記載の方法。
【請求項３】
前記オペレーティング条件は、前記移動体通信デバイスのバッテリー電力レベルを含む請求項１記載の方法。
【請求項４】
前記オペレーティング条件は、前記移動体通信デバイスの温度を含む請求項１記載の方法。
【請求項５】
前記ミュートコマンドは、ユーザにより開始される請求項１記載の方法。
【請求項６】
前記コンポーネントは、データソースアクセス回路、セキュリティ回路、逆圧縮およびデコーディング回路、ポストデコーディング処理回路、または描出デバイスのうちの１つである請求項１記載の方法。
【請求項７】
前記コンポーネントを中断させることは、
オーディオデコーダへの到来オーディオデータストリームをブロックすることと、
前記オーディオデコーダを電源切断することとを含む請求項１記載の方法。
【請求項８】
前記ミュートコマンドが非アクティブ化されたことに応答してオーディオデータストリームの再同期を可能にするように、前記コンポーネントが中断されている間、経過時間を維持することをさらに含む請求項１記載の方法。
【請求項９】
オーディオデータとビデオデータとを含むパケットストリームを受け取ることをさらに含む請求項１記載の方法。
【請求項１０】
しきい値を超えている前記オペレーティング条件に応答して、前記移動体通信デバイスにおける、オーディオデータのデコーディングを一時停止させながら、前記ビデオデータに対応するビデオコンテンツを表示させることをさらに含む請求項９記載の方法。
【請求項１１】
しきい値を超えている前記オペレーティング条件に応答して、前記移動体通信デバイスにおける、スピーカーへの前記オーディオデータの提供を一時停止させながら、前記ビデオデータに対応するビデオコンテンツを表示させることをさらに含む請求項９記載の方法。
【請求項１２】
バッテリー電力が第１のしきい値より下であるときには、前記データソースアクセス回路のソースに基づいて、データソースアクセス回路を中断させるか否かを決定することをさらに含む請求項１記載の方法。
【請求項１３】
前記バッテリー電力レベルが、前記第１のしきい値より下であり、かつ、前記データソースアクセス回路のソースが、セキュアデジタル（ＳＤ）カードと、ユニバーサルシリアルバス（ＵＳＢ）と、ネットワーク接続とのうちの１つであるときに、前記データソースアクセス回路を中断させることをさらに含む請求項１２記載の方法。
【請求項１４】
ネットワーク帯域幅が第２のしきい値より下であるときには、前記データソースアクセス回路のソースに基づいて、データソースアクセス回路を中断させるか否かを決定することをさらに含む請求項１記載の方法。
【請求項１５】
前記ネットワーク帯域幅が前記第２のしきい値より下であり、かつ、前記データソースアクセス回路のソースがワイヤレスネットワークであるときには、前記データソースアクセス回路を中断させることをさらに含む請求項１４記載の方法。
【請求項１６】
少なくとも１つの処理コンポーネントを備えるメディア処理システムと、
制御装置とを具備し、
前記制御装置は、
ミュートコマンドを受け取るための第１の入力と、
オペレーティング条件を受け取るための第２の入力と、
前記少なくとも１つの処理コンポーネントの電力消費条件を選択的に変更するための制御信号を提供するための出力とを備える装置。
【請求項１７】
前記少なくとも１つの処理コンポーネントは、データソースアクセス回路、セキュリティ回路、逆圧縮およびデコーディング回路、ポストデコーディング処理回路、または描出デバイスのうちの１つであり、前記電力レベル消費条件を選択的に変更することは、低電力状態に移行させることを含む請求項１６記載の装置。
【請求項１８】
前記少なくとも１つの処理コンポーネントは、描出デバイスであり、前記制御装置は、第１の時間の長さが過ぎたとき、前記描出デバイスを中断させた後に、ポストデコーディング処理回路を中断させるように構成されている請求項１６記載の装置。
【請求項１９】
前記制御装置は、第２の時間の長さが過ぎたとき、前記描出デバイスの中断の後に、逆
圧縮およびデコーディング回路を中断させるようにさらに構成されている請求項１８記載の装置。
【請求項２０】
前記制御装置は、第３の時間の長さが過ぎたとき、前記逆圧縮およびデコーディング回路デバイスの中断の後に、セキュリティ回路を中断させるように構成されている請求項１７記載の装置。
【請求項２１】
前記制御装置は、第４の時間の長さが過ぎたとき、前記セキュリティ回路の中断の後に、データソースアクセス回路を中断させるようにさらに構成されている請求項２０記載の装置。
【請求項２２】
前記ミュートコマンドは、ユーザインターフェースにおける入力に応答して受け取られる請求項１６記載の装置。
【請求項２３】
移動体通信デバイスがオーディオコンテンツ処理を実行している間、前記移動体通信デバイスにおいてミュートコマンドを受け取る手段と、
前記ミュートコマンドの受け取りに応答して、前記移動体通信デバイスのオペレーティング条件をモニタリングする手段と、
前記モニタリングされたオペレーティング条件に基づいて、前記オーディオコンテンツ処理を実行するために使用されるコンポーネントを中断させるか否かを決定する手段とを具備する装置。
【請求項２４】
前記装置は、移動体通信デバイスに組み込まれている請求項２３記載の装置。
【請求項２５】
コンピュータによって実行される命令を記憶するコンピュータ読み取り可能媒体において、
前記命令は、
移動体通信デバイスがオーディオコンテンツ処理を実行している間、前記移動体通信デバイスにおいてミュートコマンドを検出するための、前記コンピュータによって実行可能である命令と、
前記ミュートコマンドの受け取りに応答して前記移動体通信デバイスのオペレーティング条件をモニタリングするための、前記コンピュータによって実行可能である命令と、
前記モニタリングされたオペレーティング条件に基づいて、前記オーディオコンテンツ処理を実行するために使用されるコンポーネントを中断させるか否かを決定するための、前記コンピュータによって実行可能である命令とを含むコンピュータ読み取り可能媒体。
【請求項２６】
前記コンピュータは、移動体通信デバイスに組み込まれている請求項２５記載のコンピュータ読み取り可能媒体。
【発明の詳細な説明】
【分野】
【０００１】
本開示は、一般的に、ミュートコマンドに応答して、移動体通信デバイスのコンポーネントを中断させることに関する。
【関連技術の説明】
【０００２】
技術の進歩によって、コンピューティングデバイスは、より小型になり、より高性能になった。現在、例えば、ポータブルワイヤレス電話機、パーソナルデジタルアシスタント（ＰＤＡ）、およびページングデバイスのような、ワイヤレスコンピューティングデバイスを含むさまざまなポータブルパーソナルコンピューティングデバイスが存在する。これらのデバイスは、小型で、軽量であり、ユーザによって容易に携帯される。より詳細に述べると、セルラ電話機およびインターネットプロトコル（ＩＰ）電話機のようなポータブルワイヤレス電話機は、ワイヤレスネットワークを通して音声およびデータパケットを通信できる。さらに、多くのこのようなワイヤレス電話機は、それらに組み込まれている他のタイプのデバイスを含む。例えば、ワイヤレス電話機は、デジタルスチールカメラ、デジタルビデオカメラ、デジタルレコーダー、およびオーディオファイルプレイヤーも含むことができる。また、このようなワイヤレス電話機は、インターネットにアクセスするために使用できる、ウェブブラウザアプリケーションのようなソフトウェアアプリケーションを含む実行可能な命令を処理できる。したがって、これらのワイヤレス電話機は、かなりのコンピューティング能力を備え得る。
【０００３】
移動体通信デバイスにおけるエネルギーの節約は、バッテリー寿命の延長、および、バッテリー再充電事象間での動作の延長につながる。マルチメディアデータの処理の程度がより大きいことにより、移動体通信デバイスは、増加したレベルのエネルギーを消費することが多く、場合によっては増加したレートでバッテリー寿命を消耗させる。移動体通信デバイスによるこのような処理の例は、オーディオまたはビデオデコーディングプロセスである。このようなオーディオまたはビデオデコーディングは、ストリーミングされたメディアファイル上で実行されることがある。デコーディング性能に対する需要の高まりとともに、電力節約についての要望が、改善されたデコーディング技術の必要性につながる。
【概要】
【０００４】
オーディオコンテンツを再生できる移動体電話機を記述する。ミュート機能をアクティブ化したことに応答して、移動体電話機のコンポーネントをオフにしてもよく、または、移動体電話機のオペレーティング条件に基づいて低電力モードに変えてもよい。例えば、移動体電話機のバッテリー電力レベルが低いときには、ミュートモードの間、オーディオコンテンツを再生するコンポーネントをオフにしてもよい。
【０００５】
特定の実施形態では、移動体通信デバイスがオーディオ処理を実行している間、移動体通信デバイスにおいてミュートコマンドを受け取ることを含む方法を開示する。方法は、ミュートコマンドの受け取りに応答して、移動体通信デバイスのオペレーティング条件をモニタリングすることも含む。方法は、モニタリングされたオペレーティング条件に基づいて、オーディオ処理を実行するために使用されるコンポーネントを中断させるか否かを決定することを含む。
【０００６】
別の特定の実施形態では、少なくとも１つの処理コンポーネントを備えるメディア処理システムを含む装置を開示する。装置は、制御装置も備え、制御装置は、ミュートコマンドを受け取るための第１の入力と、オペレーティング条件を受け取るための第２の入力と、少なくとも１つの処理コンポーネントの電力消費条件を選択的に変える制御信号を提供するための出力とを備える。
【０００７】
開示した実施形態のうちの少なくとも１つによって提供される１つの特定の利点は、オーディオコンテンツの再生が望まれていないミュート状態の間、移動体通信デバイスが、オーディオ処理コンポーネントの電力消費を減少させることができることである。したがって、ユーザの経験に影響を及ばさないで、電力を節約できる。
【０００８】
本開示の他の態様、利点、および特徴は、以下のセクション：図面の簡単な説明、詳細な説明、および特許請求の範囲を含む、本願全体のレビューの後に明らかになるだろう。
【図面の簡単な説明】
【０００９】
【図１】図１は、移動体通信デバイスの特定の例示的な実施形態のブロックダイヤグラムである。
【図２】図２は、移動体通信デバイスを含むシステムのブロックダイヤグラムである。
【図３】図３は、移動体通信デバイスの第２の例示的な実施形態のブロックダイヤグラムである。
【図４】図４は、ミュートコマンドと、モニタリングされたオペレーティング条件とに基づいて移動体通信デバイスのコンポーネントを中断させる方法の、特定の例示的な実施形態のフローチャートである。
【図５】図５は、ミュートコマンドと、モニタリングされたオペレーティング条件とに基づいて移動体通信デバイスのコンポーネントを中断させる方法の、第２の例示的な実施形態のフローチャートである。
【図６】図６は、ミュートコマンドと、モニタリングされたオペレーティング条件とに基づいて、移動体通信デバイスのコンポーネントを中断させる方法の第３の例示的な実施形態のフローチャートである。
【図７】図７は、ミュートコマンドと、モニタリングされたオペレーティング条件とに基づいて、移動体通信デバイスのコンポーネントを中断させる方法の第４の例示的な実施形態のフローチャートである。
【詳細な説明】
【００１０】
図１を参照すると、移動体通信デバイス１００の特定の例示的な実施形態が示されている。移動体通信デバイス１００は、ミュートコマンドモニタ１１０と、オペレーティング条件モニタ１０８と、オーディオコンポーネント処理パイプライン１０４とを備えており、オーディオコンポーネント処理パイプライン１０４は、第１の代表的な処理コンポーネント１２０と、第２の代表的な処理コンポーネント１２２と、第３の代表的な処理コンポーネント１２４とを備えている。移動体通信デバイス１００は、第４の代表的な処理コンポーネント１２６、スピーカー１１２、および制御装置１０６も備えている。制御装置１０６は、受け取った、ミュートコマンド１３０の指示１３４と、モニタリングされたオペレーティング条件１３６とに基づいて、オーディオコンポーネント処理パイプライン１０４のコンポーネント１２０−１２４のうちの１つ以上を中断させるか否かを決定するように構成されていてもよい。ミュート状態の間、オーディオコンポーネント処理パイプライン１０４のコンポーネントを中断させることは、オーディオコンテンツの再生が望まれていない状態の間の、移動体通信デバイス１００のコンポーネントによる電力消費を減少させることができる。
【００１１】
オーディオコンポーネント処理パイプライン１０４は、スピーカー１１２への送信のために、移動体通信デバイス１００において受け取ったオーディオデータ１２８を処理し、処理されたオーディオ出力１５０を発生させるように構成されていてもよい。例えば、オーディオコンポーネント処理パイプライン１０４のコンポーネント１２０−１２４は、データソースアクセス回路、セキュリティ／デジタル権利マネンジメント（ＤＲＭ）回路、逆圧縮およびデコーディング回路、ならびにオーディオデータ１２８を処理するポストデコーディング処理回路を含んでいてもよい。
【００１２】
オーディオコンポーネント処理パイプライン１０４の各コンポーネントは、制御装置１０６からの制御信号に応答してもよい。例えば、第１のオーディオ処理コンポーネント１２０は、第１の制御信号１４１に応答し、第２のオーディオコンポーネント処理コンポーネント１２２は、第２の制御信号１４２に応答し、第３のオーディオ処理コンポーネント１２４は、第３の制御信号１４０に応答する。制御信号１４０−１４２のうちの１つを通しての中断信号の受け取りに応答して、オーディオコンポーネント処理パイプライン１０４の特定のコンポーネントは、処理されたオーディオ出力１５０をユーザがミュートにしたときにオーディオデータ１２８の処理を停止することによって、電力消費を減少させるように構成されていてもよい。
【００１３】
ミュート機能をアクティブ化するためのユーザ選択は、ミュートコマンドモニタ１１０によって検出されてもよい。例えば、ミュートコマンドモニタ１１０は、移動体通信デバイス１００において受け取ったミュートコマンド１３０を検出するように構成されていてもよい。ミュートコマンド１３０は、移動体通信デバイス１００へのユーザ入力に応答して発生された信号であってもよい。例えば、ユーザは、移動体通信デバイス１００のオーディオ出力をミュートにする望みを示すために、ボタンを押してもよく、または、タッチスクリーン上のある場所をタッチしてもよい。ミュートコマンドモニタ１１０は、ミュートコマンド１３０の指示１３４を発生させ、オペレーティング条件モニタ１０８と制御装置１０６とに送信するように構成されていてもよい。
【００１４】
オペレーティング条件モニタ１０８は、ミュートコマンド１３０の指示１３４に応答してもよい。オペレーティング条件モニタ１０８は、第４の代表的な処理コンポーネント１２６のオペレーティング条件１３２をモニタリングするように構成されていてもよい。第４の代表的な処理コンポーネント１２６は、移動体通信デバイス１００のオペレーティング条件１３２を登録するデバイスであってもよい。例えば、第４の代表的なコンポーネント１２６が温度センサであるときには、オペレーティング条件モニタ１０８によって受け取られるオペレーティング条件１３２は、移動体通信デバイス１００の温度を示すデータ値であってもよい。別の例として、第４の代表的な処理コンポーネント１２６がバッテリー電力センサであるときには、オペレーション条件モニタ１０８は、移動体通信デバイス１００のバッテリー電力レベルを示すデータ値を受け取ってもよい。
【００１５】
特定の実施形態では、制御装置１０６は、モニタリングされたオペレーティング条件１３６とミュートコマンド１３０の指示１３４とに基づいて、オーディオコンポーネント処理パイプライン１０４のコンポーネントを中断させるか否かを決定するように構成されている。モニタリングされたオペレーティング条件１３６に基づいて、オーディオコンポーネント処理パイプライン１０４のコンポーネントを中断させるべきと決定したことに応答して、制御装置１０６は、制御信号（例えば、制御信号１４０−１４２のうちの１つ）を、オーディオコンポーネント処理パイプライン１０４の特定のコンポーネントに送信してもよい。
【００１６】
オーディオコンポーネント処理パイプライン１０４のコンポーネントの中断を開始し次第、制御装置１０６は、オーディオコンポーネント処理パイプライン１０４の処理状態の経過を追うように構成されていてもよい。例えば、第１のコンポーネント１２０がオーディオデータ１２８の第１の部分を処理しており、第２のコンポーネント１２２がオーディオデータ１２８の第２の部分を処理しており、第３のコンポーネント１２４がオーディオデータ１２８の第３の部分を処理していることを、制御装置１０６は決定してもよい。制御装置１０６はまた、オーディオコンポーネント処理パイプライン１０４の、予期される処理状態１８０を決定するように構成されていてもよい。予期される状態１８０は、あたかも、１つ以上のコンポーネントが中断されていないかのように、オーディオ処理の過程を追跡してもよい。制御装置１０６はまた、ミュートコマンド１３０の指示１３４の受け取りに続く経過時間１８１を維持するように構成されていてもよい。予期される処理状態１８０と経過時間１８１とを追跡および記憶することによって、遅延せずに、かつ、ユーザに対する知覚されるオーディオ再生パフォーマンスに影響を及ばさないでオーディオストリーム処理が再開するように、制御装置１０６は、ミュートコマンド１３０の選択解除を検出し次第、オーディオコンポーネント処理パイプライン１０４に再関与できる。例えば、制御信号１４０を通して中断が受け取られたときに、第３のコンポーネント１２４がオーディオデータ１２８の第１の部分を処理している場合、第３のコンポーネント１２４がオーディオ処理の再関与の際にオーディオデータ１２８の第２の部分を処理すべきであることを、制御装置１０６は、予期される処理状態１８０と経過時間１８１とに基づいて決定してもよい。
【００１７】
処理されたオーディオデータ出力１５０の再生の間、移動体通信デバイス１００は、ミュートコマンド１３０を受け取ってもよく、ミュートコマンド１３０の指示１３４を制御装置１０６とオペレーティング条件モニタ１０８とに提供する。オペレーティング条件モニタ１０８は、第４の代表的な処理コンポーネント１２６のオペレーティング条件１３２をモニタリングし、モニタリングされたオペレーティング条件１３６を制御装置１０６に提供してもよい。モニタリングされたオペレーティング条件１３６に基づいて、制御装置１０６は、オーディオコンポーネント処理パイプライン１０４の１つ以上のコンポーネントを中断させるか否かを決定してもよい。例えば、移動体通信デバイス１００の温度が受け入れ可能なオペレーティング範囲外にあることを、モニタリングされたオペレーティング条件１３６が示しているとき、制御装置１０６は、制御信号１４０−１４２のうちの少なくとも１つを通して、中断制御信号をオーディオコンポーネント処理パイプライン１０４のコンポーネントのうちの１つ以上に送ってもよい。このケースにおいて、コンポーネントを中断させることは、オーディオデコーダへの到来オーディオデータストリームをブロックすることと、オーディオデコーダを電源切断することとを含んでいてもよい。
【００１８】
特定の実施形態では、移動体通信デバイス１００は、ユーザがミュート状態を非アクティブ化したことに応答して、オーディオコンポーネント処理パイプライン１０４のコンポーネントの動作を再開してもよい。制御装置１０６は、オーディオデータ１２８のどの部分が処理されるべきかをオーディオコンポーネント処理パイプライン１０４のコンポーネントに示すために、予期される処理状態１８０と経過時間１８１とを使用してもよい。したがって、移動体通信デバイス１００は、ユーザに対する知覚されるオーディオ再生パフォーマンスに影響を及ばさないで、処理されたオーディオ出力１５０の再生を再開できる。
【００１９】
モニタリングされたオペレーティング条件１３６に基づいて移動体通信デバイス１００のコンポーネントを中断させることによって、移動体通信デバイス１００は、ミュート機能がアクティブ化される（すなわち、デバイスがミュート状態にある）時間期間中、電力をセーブできる。移動体通信デバイス１００がミュート状態にある間、ユーザは、オーディオコンテンツの再生を望まないことを示している。スピーカー１１２を通しての、処理されたオーディオ出力１５０の配信をなくすことは、結果として、ユーザに配信されないオーディオデータ１２８が処理されることになるので、いくつかの処理コンポーネントは、デバイスがミュート状態にある間、遮断されてもよい。したがって、ミュート状態の間、オーディオコンテンツの再生に影響を及ぼさないで、オーディオデータ１２８を処理するコンポーネントへの電力を減少させることができる。
【００２０】
図２を参照すると、移動体通信デバイス２０２を含むシステム２００が示されている。移動体通信デバイス２０２は、データソースアクセス回路２０８と、セキュリティ回路２１２と、逆圧縮およびデコーディング回路２１４と、ポストデコーディング処理回路２１６と、描出デバイス２１８とを備えている。移動体通信デバイス２０２は、温度センサ２２４、バッテリー電力レベルセンサ２２６、およびネットワーク帯域幅センサ２２８も備えている。移動体通信デバイス２０２は、ミュートコマンド２９５とモニタリングされたオペレーティング条件とに基づいてアクションを取るように構成されている制御装置２２０をさらに備えている。
【００２１】
データソースアクセス回路２０８は、処理のために、ソースからオーディオデータを受け取り、受け取ったオーディオデータ２７６を移動体通信デバイス２０２の他のコンポーネントに送信するように構成されていてもよい。特定の実施形態では、データソースアクセス回路２０８は、移動体通信デバイス２０２の内部にあるソースからのオーディオデータを受け取るように構成されている。例えば、データソースアクセス回路２０８は、メモリインターフェース２４０を通して、内部メモリ２０９からのオーディオデータを受け取るように構成されていてもよい。別の例として、オーディオデータは、カードインターフェース２４２を通して、セキュアデジタル（ＳＤ）カードのようなメモリカード２１０から、データソースアクセス回路２０８によって受け取られてもよい。特定の実施形態では、データソースアクセス回路２０８は、移動体通信デバイス２０２の外部にあるソースからオーディオデータを受け取るように構成されている。例えば、データソースアクセス回路２０８は、ワイヤレストランシーバ２４４を通して、ワイヤレスネットワーク２０４からのオーディオデータを受け取るように構成されていてもよい。別の例として、オーディオデータは、ＵＳＢインターフェース２４６を通して、ユニバーサルシリアルバス（ＵＳＢ）デバイス２０６からデータソースアクセス回路２０８によって受け取られてもよい。
【００２２】
特定の実施形態では、セキュリティ回路２１２は、データソースアクセス回路２０８から受け取ったオーディオデータ２７６を処理するように、および、コンテンツを再生することについて移動体通信デバイス２０２が認証されているか否かを決定するように、構成されている。例えば、認証制御装置２５０は、受け取ったオーディオデータ２７６に含まれているデジタル権利管理（ＤＲＭ）データに基づいて、認証を実行するように構成されていてもよい。認証制御装置２５０は、認証決定２７４をデータソースアクセス回路２０８に送信するように構成されていてもよい。セキュリティ回路２１２は、暗号化エンジン２４８も備えていてもよく、暗号化エンジン２４８は、逆圧縮およびデコーディング回路２１４のような、移動体通信デバイス２０２の別のコンポーネントへの送信のために、受け取ったオーディオコンテンツ２７６を解読する。
【００２３】
特定の実施形態では、逆圧縮およびデコーディング回路２１４は、セキュリティ回路２１２からの、解読されたオーディオデータ２７８を逆圧縮およびデコードするように構成されている。例えば、逆圧縮回路２５６は、解読されたオーディオデータ２７８を逆圧縮してもよく、オーディオデコーダ２５２は、解読されたオーディオデータ２７８をデコードしてもよい。逆圧縮およびデコーディング回路２１４は、逆圧縮およびデコードされたオーディオデータ２７９をポストデコーディング処理回路２１６に送信してもよい。
【００２４】
特定の実施形態では、ポストデコーディング処理回路２１６は、１つ以上の処理モジュールを通して、逆圧縮およびデコードされたオーディオデータ２７９を処理するように構成されている。例えば、ポストデコーディング処理回路２１６は、サラウンドサウンド処理回路２６０とイコライザ２６２とを備えていてもよい。逆圧縮およびデコードされたオーディオデータ２７９の処理後、ポストデコーディング処理回路２１６は、処理されたオーディオデータ２８０を描出デバイス２１８に送信してもよい。
【００２５】
特定の実施形態では、描出デバイス２１８は、デジタルアナログ変換器（ＤＡＣ）２６６を通して、処理されたオーディオデータ２８０をヘッドフォンインターフェース２３０またはスピーカー２３２に送信してもよい。描出デバイス２１８は、処理されたオーディオデータ２８０のワイヤレス送信のための送信機２６４も備えていてもよい。例えば、送信機２６４は、ワイヤレスヘッドフォンまたはワイヤレススピーカーと通信してもよい。
【００２６】
特定の実施形態では、制御装置２２０は、ユーザインターフェース２９９からミュートコマンド２９５を受け取るように構成されている。例えば、ユーザインターフェース２９９は、ユーザがミュートコマンド２９５を選択および選択解除することを可能にするための、タッチスクリーンまたはボタンを含んでいてもよい。ミュートコマンド２９５の受け取りに応答して、制御装置２２０は、温度センサ２２４、バッテリー電力レベルセンサ２２６、およびネットワーク帯域幅センサ２２８のような、移動体通信デバイス２０２のオペレーティング条件を登録するデバイスからの、オペレーティング条件をモニタリングするように構成されていてもよい。例えば、温度センサ２２４からのモニタリングされるオペレーティング条件２８８は、移動体通信デバイス２０２の温度を示すデータ値であってもよい。別の例として、制御装置２２０は、バッテリー電力レベルセンサ２２６からのモニタリングされるオペレーティング条件２８９として移動体通信デバイス２０２のバッテリー電力レベルを示すデータ値を受け取ってもよい。ネットワーク帯域幅センサ２２８からのモニタリングされるオペレーティング条件２９０は、移動体通信デバイス２０２に対して利用可能なネットワーク帯域幅を示すデータ値であってもよい。例えば、ネットワーク帯域幅センサ２２８は、移動体通信デバイス２０２に対して利用可能なネットワーク帯域幅を示しているオペレーティング条件２６１について、ワイヤレストランシーバ２４４をモニタリングするように構成されていてもよい。
【００２７】
制御装置２２０は、モニタリングされたオペレーティング条件２８８−２９０のうちの１つ以上に基づいて、移動体通信デバイス２０２のコンポーネントを中断させるか否かを決定するように構成されていてもよい。モニタリングされたオペレーティング条件が、しきい値を超えたときに、または、予め定められた範囲外にあるときに、特定のコンポーネントを中断させることによって、移動体通信デバイス２０２の電力消費を減少させることができることを、制御装置は決定してもよい。例えば、制御装置２２０は、バッテリー電力レベルに対応している第１のしきい値２０５と、移動体通信デバイス２０２に対して利用可能なネットワーク帯域幅に対応している第２のしきい値２０７とに基づいて、特定のコンポーネントを中断させるか否かを決定してもよい。
【００２８】
特定の実施形態では、制御装置２２０は、制御信号を通して、移動体通信デバイス２０２の１つ以上のコンポーネントを中断させるように構成されている。例えば、制御装置２２０は、第１の制御信号２８３を通して中断を送信することによって、データソースアクセス回路２０８における電力消費を減少させることができる。別の例として、制御装置２２０は、セキュリティ回路２１２を中断させるための第２の制御信号２８４と、逆圧縮およびデコーディング回路２１４を中断させるための第３の制御信号２８５と、ポストデコーディング処理回路２１６を中断させるための第４の制御信号２８７と、描出デバイス２１８中断させるための第５の制御信号２８６とを発生させてもよい。
【００２９】
特定の実施形態では、移動体通信デバイス２０２は、メモリ２６７を備えており、メモリ２６７は、制御装置２２０のようなプロセッサによって実行可能である命令（例えば、ソフトウェア２６５）を記憶するコンピュータ読み取り可能媒体を含む。例えば、ソフトウェア２６５は、移動体通信デバイス２０２がオーディオコンテンツ処理を実行している間に、移動体通信デバイス２０２においてミュートコマンド２９５を検出するための、コンピュータ（例えば、移動体通信デバイス２０２）によって実行可能である命令を含んでいてもよい。ソフトウェア２６５は、ミュートコマンド２９５の受け取りに応答して、移動体通信デバイス２０２のオペレーティング条件（例えば、モニタリングされるオペレーティング条件２８８−２９０）をモニタリングするための、コンピュータによって実行可能である命令も含んでいてもよい。ソフトウェア２６５は、モニタリングされたオペレーティング条件２８８−２９０に基づいて、コンポーネント２４０−２６６のうちの１つ以上のような、オーディオコンテンツ処理を実行するために使用されるコンポーネントを中断させるか否かを決定するための、コンピュータによって実行可能である命令も含んでいてもよい。
【００３０】
動作の間、移動体通信デバイス２０２が、送信機２６４、ヘッドフォンインターフェース２３０、またはスピーカー２３２を通しての再生のために、オーディオデータを処理する。例えば、オーディオデータは、データソースアクセス回路２０８によって１つ以上のソース２０４、２０６、２０９、２１０を通して受け取られ、描出デバイス２１８を通しての送信のために、セキュリティ回路２１２、逆圧縮およびデコーディング回路２１４、ならびにポストデコーディング処理回路２１６のような、移動体通信デバイス２０２の１つ以上のコンポーネントによって処理される。制御装置２２０は、オーディオデータの処理および再生の間にミュートコマンド２９５を受け取ってもよい。ミュートコマンド２９５の受け取りに応答して、制御装置２２０は、温度センサ２２４と、バッテリー電力レベルセンサ２２６と、ネットワーク帯域幅センサ２２８とからの、１つ以上のモニタリングされるオペレーティング条件２８８−２９０をモニタリングしてもよい。
【００３１】
モニタリングされたオペレーティング条件２８８−２９０に基づいて、制御装置２２０は、移動体通信デバイス２０２の１つ以上のコンポーネントを中断させるか否かを決定してもよい。例えば、モニタリングされたオペレーティング条件２８８が、移動体通信デバイス２０２の温度は受け入れ可能なオペレーティング範囲外にあることを示したとき、制御装置２２０は、移動体通信デバイス２０２のコンポーネントのうちの１つ以上に制御信号２８３−２８７のうちの１つを通して中断信号を送ってもよい。別の例として、移動体通信デバイス２０２に対して利用可能なネットワーク帯域幅２６１がしきい値より下であることを示している、モニタリングされたオペレーティング条件２９０に応答して、制御装置２２０は、制御信号２８３−２８７を通して１つ以上の中断信号を送ってもよい。移動体通信デバイス２０２のバッテリー電力レベルがしきい値より下であることを、モニタリングされたオペレーティング条件２８９が示しているとき、制御装置２２０は、移動体通信デバイス２０２の特定のコンポーネントを中断させるための１つ以上の制御信号２８３−２８７も送ってもよい。中断させるコンポーネントを選択する例は、図５−図７を参照して記述する。
【００３２】
特定の実施形態では、コンポーネントのうちの１つ以上に中断を送信した後、制御装置２２０は、移動体通信デバイス２０２の予期される処理状態２０３の経過を追ってもよい。移動体通信デバイス２０２の予期される処理状態２０３は、移動体通信デバイス２０２のコンポーネントが、中断に続く時間の持続時間に基づいて処理を再開すべきなのはデータのどの部分であるかを示していてもよい。例えば、描出デバイス２１８は、描出デバイス２１８への制御信号２８６を通して中断を受け取ったとき、音楽の再生が始まってから１０秒経っているかもしれない。このケースでは、中断の後の２０秒、制御装置２２０は、音楽が始まってから３０秒に相当する処理されたオーディオデータ２８０の一部における処理されたオーディオデータ２８０の送信を描出デバイス２１８が再開すべきであることを、予期される処理状態２０３に基づいて決定してもよい。予期される処理状態２０３を追跡および記憶することによって、制御装置２２０は、遅延せずに、かつ、移動体通信デバイス２０２のユーザに対する知覚されるオーディオ再生パフォーマンスに影響を及ばさないでオーディオコンテンツ処理が再び行われるように、ミュートコマンド２９５の選択解除し次第、移動体通信デバイス２０２のコンポーネントに再関与できる。
【００３３】
制御装置２２０は、制御信号２８３−２８７のうちの１つを通して、再開信号を移動体通信デバイス２２０のコンポーネントに送り、オーディオデータの処理を再開してもよい。例えば、描出デバイス２１８が中断されているとき、制御装置２２０が、制御信号２８６を介して、再開信号を送ってもよい。
【００３４】
モニタリングされたオペレーティング条件（例えば、２８８−２９０）に基づいて移動体通信デバイス２０２のコンポーネントを中断させることによって、移動体通信デバイス２０２は、デバイスがミュート状態にある期間の間、電力をセーブできる。移動体通信デバイス２０２がミュート状態にある間、ユーザは、オーディオコンテンツの再生を望んでいないことを示している。スピーカー２３２またはヘッドフォンインターフェース２３０を通しての、処理されたオーディオデータ２８０の配信は、結果として、ユーザに配信されないオーディオデータが処理されることになるので、デバイスがミュート状態にある間、オーディオ処理コンポーネントは遮断されてもよい。したがって、オーディオコンテンツのミュートにされている再生に影響を及ぼさないで、オーディオデータを処理するコンポーネントへの電力を減少させることができる。
【００３５】
図３を参照すると、移動体通信システム３００が示されている。移動体通信デバイス３００は、ディスプレイ３０４と、制御装置３０８と、オペレーティング条件センサ３５２と、オーディオ出力３５０と、処理回路３０６とを備えており、処理回路３０６は、ビデオ処理回路３１０と、オーディオ処理回路３１４とを備えている。移動体通信デバイス３００は、パケットストリーム３２０を処理して、ディスプレイ３０４にはビデオコンテンツ３２４を、そして、オーディオ出力３５０にはオーディオコンテンツ３５６を配信するように構成されている。ミュートコマンド３２６の受け取りに応答して、移動体通信デバイス３００は、移動体通信デバイス３００のモニタリングされたオペレーティング条件３５４に基づいて、処理回路３０６のコンポーネントのうちの１つ以上を中断させてもよい。
【００３６】
特定の実施形態では、ビデオ処理回路３１０は、パケットストリーム３２０内のビデオデータ３４０を処理して、ディスプレイ３０４を通しての表示のために、ビデオコンテンツ３２４を発生させるように構成されている。例えば、ビデオコンテンツ３２４は、液晶ディスプレイ（ＬＣＤ）スクリーン上でイメージを生成させるために使用されるビデオ信号であってもよい。オーディオ処理回路３１４は、オーディオ出力３５０を通して再生するために、パケットストリーム３２０内のオーディオデータ３４２を処理して、オーディオコンテンツ３５６を発生させるように構成されている。例えば、オーディオ処理回路３１４は、図２の、データソースアクセス回路２０８、セキュリティ回路２１２、逆圧縮およびデコーディング回路２１４、ならびにポストデコーディング処理回路２１６のような、オーディオコンポーネント処理パイプラインのコンポーネントを含んでいてもよい。別の例として、オーディオ出力３５０は、オーディオコンテンツ３５６を出力するための、スピーカーまたはヘッドフォンインターフェースであってもよい。
【００３７】
特定の実施形態では、制御装置３０８は、ミュートコマンド３２６を受け取るように構成されている。例えば、ユーザは、ボタンをアクティブ化することによって、ミュートコマンド３２６を開始してもよい。ミュートコマンド３２６の受け取りに応答して、制御装置３０８は、モニタリングされるオペレーティング条件３５４についてオペレーティング条件センサ３５２をモニタリングしてもよい。オペレーティング条件センサ３５２は、温度センサ、バッテリー電力レベルセンサ、またはネットワーク帯域幅センサのような、移動体通信デバイス３００のオペレーティング条件を示すデバイスであってもよい。例えば、オペレーティング条件センサ３５２が温度センサであるときには、制御装置３０８によって受け取られるモニタリングされたオペレーティング条件３５４は、移動体通信デバイス３００の検出された温度であってもよい。
【００３８】
特定の実施形態では、制御装置３０８は、ミュートコマンド３２６と、オペレーティング条件センサ３５２から受け取ったモニタリングされたオペレーティング条件３５４とに基づいて、処理回路３０６を中断させるか否かを決定するように構成されている。例えば、オペレーティング条件センサ３５２がバッテリー電力レベルセンサであり、かつ、移動体通信デバイス３００のバッテリー電力レベルがしきい値より下であることを、制御装置３０８によって受け取られたモニタリングされたオペレーティング条件３５４が示しているとき、制御装置３０８は、処理回路３０６の１つ以上のコンポーネントを中断させるように構成されていてもよい。制御装置３０８は、制御信号３２２を通して、中断信号を処理回路３０６に送ってもよい。例えば、制御装置３０８は、制御信号３２２を通して、オーディオ処理回路３１４を中断させてもよい。
【００３９】
特定の実施形態では、制御装置３０８は、移動体通信デバイス３００の予期される処理状態３６０を追跡するように構成されている。例えば、予期される処理状態３６０は、処理回路３０６が中断された後の所定の時間において処理回路３０６が処理しているのはパケットストリーム３２０のどの部分かを示していてもよい。制御装置３０８は、ミュートコマンド３２６の非アクティブ化の受け取りに応答して、再開信号を処理回路３０６に送るように構成されていてもよい。特定の実施形態では、制御装置３０８は、中断が行われなかった場合に、処理回路３０６が処理しているのはオーディオデータ３４２またはビデオデータ３４０のどの部分かを決定するために、予期される処理状態３６０を使用してもよい。再開信号は、再関与の際にどのデータが処理されるべきかを処理回路３０６に対して示してもよい。
【００４０】
動作の間、ビデオデータ３４０のビデオ処理が、ディスプレイ３０４における表示のためにビデオコンテンツ３２４を発生させ続けている間、制御装置３０８は、ミュートコマンド３２６に応答して、オーディオ処理とオーディオ出力３５０へのオーディオコンテンツの配信とを選択的に遮断させてもよい。例えば、しきい値を超えているモニタリングされたオペレーティング条件３５４に応答して、制御装置３０８は、移動体通信デバイス３００がビデオコンテンツ３２４を表示し続けている間、移動体通信デバイス３００における、オーディオデータ３４２のデコーディングを一時停止させてもよい。別の例として、制御装置３０８は、しきい値を超えているモニタリングされたオペレーティング条件３５４に応答して、ビデオコンテンツ３２４を表示させながら、オーディオ出力３５０へのオーディオコンテンツ３５６の提供を一時停止させてもよい。このケースでは、モニタリングされたオペレーティング条件３５４に対するしきい値は、低バッテリーレベル、低ネットワーク帯域幅利用可能性、または、受け入れ可能な範囲を超えている、移動体通信デバイス３００の温度であってもよい。ミュートコマンド３２６に応答して、モニタリングされたオペレーティング条件３５４に基づいて、移動体通信デバイス３００のコンポーネントを中断させることと、予期される処理状態３６０に基づいて処理に再関与することとによって、移動体通信デバイス３００は、ミュートの状態の間、電力消費を減少させ、かつ、ユーザに対する知覚されるオーディオ再生パフォーマンスに影響を及ばさないで処理を再開できる。
【００４１】
図４を参照すると、ミュートコマンドと、モニタリングされたオペレーティング条件とに基づいて、移動体通信デバイスのコンポーネントを中断させる方法が開示されており、概して４００と指定されている。方法４００は、４０２において、移動体通信デバイスがオーディオコンテンツ処理を実行している間、移動体通信デバイスにおいてミュートコマンドを受け取ることを含む。例えば、図１の移動体通信デバイス１００がオーディオコンテンツ処理を実行している間、移動体通信デバイス１００がミュートコマンド１３０を受け取ってもよい。
【００４２】
方法４００は、４０４において、ミュートコマンドの受け取りに応答して、移動体通信デバイスのオペレーティング条件をモニタリングすることも含む。例えば、図１の移動体通信デバイス１００が、ミュートコマンド１３０の受け取りに応答して、オペレーティング条件１３２をモニタリングしてもよい。方法４００は、４０６において、モニタリングされたオペレーティング条件に基づいて、オーディオコンテンツ処理を実行するために使用されるコンポーネントを中断させるか否かを決定することを含む。例えば、図１の移動体通信デバイス１００が、モニタリングされたオペレーティング条件１３６に基づいて、オーディオコンテンツ処理を実行するために使用されるコンポーネント（例えば、第１のコンポーネント１２０、第２のコンポーネント１２２、または第３のコンポーネント１２４）を中断させるか否かを決定してもよい。オペレーティング条件のモニタリングに基づいてコンポーネントを中断させることは、ユーザが使用していないコンポーネントにおける電力を、移動体通信デバイス１００が減少させることを可能にする。
【００４３】
図５−図７は、時間の長さ（図５）と、バッテリー電力レベル（図６）と、ネットワーク帯域幅利用可能性（図７）とに基づいて、中断させるコンポーネントを選択する例を図示している。
【００４４】
図５を参照すると、ミュートコマンドと、モニタリングされたオペレーティング条件とに基づいて、移動体通信デバイスのコンポーネントを中断させる方法が、開示されており、概して５００と指定されている。方法５００は、５０２において、移動体通信デバイスがオーディオコンテンツ処理を実行している間、移動体通信デバイスにおいてミュートコマンドを受け取ることを含む。例えば、図２の移動体通信デバイス２０２がオーディオコンテンツ処理を実行している間、移動体通信デバイス２０２が、ミュートコマンド２９５を受け取る。
【００４５】
方法５００は、５０４において、ミュートコマンドの受け取りに応答して、移動体通信デバイスのオペレーティング条件をモニタリングすることも含む。例えば、図２の移動体通信デバイス２０２が、ミュートコマンド２９５の受け取りに応答して、移動体通信デバイス２０２のオペレーティング条件２８８−２９０をモニタリングしてもよい。方法５００は、５０６において、モニタリングされたオペレーティング条件に基づいて、描出デバイスを中断させることを含んでいてもよい。例えば、図２の制御装置２２０が、モニタリングされたオペレーティング条件２８９に基づいて、描出デバイス２１８を中断させてもよい。
【００４６】
ミュートの状態が続いている間、ミュート状態の持続時間に基づいてリソースを節約するために、付加的な処理回路を中断させてもよい。５０８において、第１の時間の長さが過ぎたとき、描出デバイスを中断させた後に、ポストデコーディング処理回路を中断させてもよい。例えば、図２では、第１の時間の長さが過ぎたとき、描出デバイス２１８を中断させた後に、ポストデコーディング処理回路２１６を中断させてもよい。５１０において、第２の時間の長さが過ぎたとき、ポストデコーディング処理回路の中断の後に、逆圧縮およびデコーディング回路を中断させてもよい。例えば、図２では、第２の時間の長さが過ぎたとき、ポストデコーディング処理回路２１６の中断の後に、制御装置２２０が、逆圧縮およびデコーディング回路２１４を中断させる。
【００４７】
方法５００は、第３の時間の長さが過ぎたとき、逆圧縮およびデコーディング処理回路の中断の後に、セキュリティ回路を中断させることを含む、５１２。例えば、第３の時間の長さが過ぎたとき、逆圧縮およびデコーディング回路２１４の中断の後に、制御装置２２０が、セキュリティ回路２１２を中断させてもよい。方法５００は、５１４において、第４の時間の長さが過ぎたとき、セキュリティ回路の中断の後に、データソースアクセス回路を中断させることを含む。例えば、第４の時間の長さが過ぎたとき、セキュリティ回路２１２の中断の後に、図２における制御装置２２０が、データソースアクセス回路２０８を中断させる。特定の実施形態では、時間の長さ（例えば、第１の長さ、第２の長さ、第３の長さ、および第４の長さ）は、ミュートコマンドの受け取りから、または、前の中断に続く時間の持続時間から、測定されてもよい。
【００４８】
ミュートの状態の持続時間に基づいて、または、別のコンポーネントの中断に続く時間の持続時間に基づいて、移動体通信デバイスのコンポーネントを中断させることによって、ユーザの関心に基づいて処理コンポーネントの使用を段階的に減少させることが可能になる。例えば、ミュート状態の持続時間が長くなればなるほど、ユーザがオーディオコンテンツの再生を再開する可能性は低くなる。加えて、時間に基づいてコンポーネントを中断させることは、より多くのコンポーネントを中断させることを可能にし、ゆえに、ミュート状態が長く続くほど、より多くの電力セーブが可能になる。さらには、コンポーネントの中断の汎用的な順序は、各ステージにおける電力使用量と一致していてもよく、ミュートの状態が解除されたときに処理を再開する際の遅延に影響するかもしれない。
【００４９】
図６を参照すると、ミュートコマンドと、モニタリングされたオペレーティング条件とに基づいて、移動体通信デバイスのコンポーネントを中断させる方法が、開示されており、概して６００と指定されている。方法６００は、６０２において、移動体通信デバイスがオーディオコンテンツ処理を実行している間、移動体通信デバイスにおいてミュートコマンドを受け取ることを含む。例えば、図２の移動体通信デバイス２０２がオーディオコンテンツ処理を実行している間、制御装置２２０は、移動体通信デバイス２０２におけるミュートコマンド２９５を受け取る。
【００５０】
方法６００は、６０４において、ミュートコマンドの受け取りに応答して、移動体通信デバイスのバッテリー電力レベルをモニタリングすることを含む。例えば、図２の制御装置２２０は、ミュートコマンド２９５の受け取りに応答して、移動体通信デバイス２０２のバッテリー電力レベル２８９をモニタリングする。方法６００は、６０６において、バッテリー電力レベルが第１のしきい値よりも下であるときには、データソースアクセス回路のソースに基づいて、データソースアクセス回路を中断させるか否かを決定することも含む。例えば、バッテリー電力レベルが第１のしきい値２０５より下であるときには、図２の制御装置２２０は、データソースアクセス回路２０８を中断させるか否かを決定してもよい。
【００５１】
方法６００は、６０８において、バッテリー電力が第１のしきい値より下であり、かつ、データソースアクセス回路のソースが、セキュアデジタル（ＳＤ）カードと、ユニバーサルシリアルバス（ＵＳＢ）と、ワイヤレスネットワークのうちの１つであるときに、データソースアクセス回路を中断させることを含む。例えば、バッテリー電力レベルが第１のしきい値２０５より下であり、かつ、図２のデータソースアクセス回路２０８のソースが、セキュアデジタル（ＳＤ）カード２１０と、ＵＳＢデバイス２０６と、ワイヤレスネットワーク２０４とのうちの１つであるときに、制御装置２２０が、データソースアクセス回路２０８を中断させてもよい。対照的に、ソースが内部メモリであるときには、内部メモリの所要電力は低く、内部メモリをシャットダウンすることは大幅な電力セーブをもたらさないかもしれないで、データソースアクセス回路２０８は、中断されなくてもよい。
【００５２】
データソースアクセス回路をシャットダウンすることは、移動体通信デバイスの他のコンポーネントによって新しいコンテンツが処理されるのを防ぐことができる。このケースでは、データソースアクセス回路の中断は、セキュリティ回路、逆圧縮およびデコーディング回路、ポストデコーディング処理回路、描出デバイスのような、すべてのダウンストリーム処理コンポーネントをシャットダウンさせる。
【００５３】
方法６００は、６１０において、バッテリー電力レベルが第１のしきい値より上であるときには、ミュートコマンドの受け取りに続く時間の長さに基づいて、オーディオコンテンツ処理の特定のコンポーネントを中断させるか否かを決定することも含む。例えば、図２のバッテリー電力レベル２８９が第１のしきい値２０５より上であるときには、ミュートコマンド２９５の受け取りに続く時間の長さに基づいて、制御装置２２０は、オーディオコンテンツ処理の特定のコンポーネント（２０８、２１２、２１４、２１６、および２１８）を中断させるか否かを決定してもよい。
【００５４】
移動体通信デバイスのバッテリー電力レベルに基づいて移動体通信デバイスのデータソースアクセス回路を中断させることは、オーディオコンテンツを処理するよりも電力をセーブすることの優先度が高いときに、移動体通信デバイスが、より多くの処理コンポーネントをシャットダウンすることを可能にする。
【００５５】
図７を参照すると、ミュートコマンドと、モニタリングされたオペレーティング条件とに基づいて、移動体通信デバイスのコンポーネントを中断させる方法が、開示されており、概して７００と指定されている。方法７００は、７０２において、移動体通信デバイスがオーディオコンテンツ処理を実行している間、移動体通信デバイスにおいてミュートコマンドを受け取ることを含む。例えば、図２の移動体通信デバイス２０２がオーディオコンテンツ処理を処理している間、制御装置２２０が、移動体通信デバイス２０２においてミュートコマンド２９５を受け取る。
【００５６】
方法７００は、７０４において、ミュートコマンドの受け取りに応答して、移動体通信デバイスに対して利用可能なネットワーク帯域幅をモニタリングすることを含む。例えば、図２の制御装置２２０が、ミュートコマンド２９５の受け取りに応答して、移動体通信デバイス２０２に対して利用可能なネットワーク帯域幅をモニタリングする。方法７００は、７０６において、ネットワーク帯域幅が第２のしきい値より下であるときには、データソースアクセス回路のソースに基づいて、データソースアクセス回路を中断させるか否かを決定することを含む。例えば、ネットワーク帯域幅が第２のしきい値２０７より下であるときには、図２の制御装置２２０は、データソースアクセス回路２０８のソース（例えば、２０４、２０６、２０９、および２１０）に基づいて、データソースアクセス回路２０８を中断させるか否かを決定する。
【００５７】
方法７００は、７０８において、ネットワーク帯域幅が第２のしきい値より下であり、かつ、データソースアクセス回路のソースがワイヤレスネットワークであるときには、データソースアクセス回路を中断させることを含む。例えば、図２では、ネットワーク帯域幅が第２のしきい値より下であり、かつ、データソースアクセス回路２０８のソースがワイヤレスネットワーク２０４であるときには、制御装置２２０がデータソースアクセス回路２０８を中断させる。方法７００は、７１０において、ネットワーク帯域幅が第２のしきい値より上であるときには、ミュートコマンドの受け取りに続く時間の長さに基づいて、オーディオコンテンツ処理の特定のコンポーネントを中断させるか否かを決定することを含む。例えば、図５中で図示されている例のように、ネットワーク帯域幅が第２のしきい値２０７より上であるときには、制御装置２２０が、ミュートコマンド２９５の受け取りに続く時間の長さに基づいて、オーディオコンテンツ処理の特定のコンポーネント２０８、２１２、２１４、２１６、２１８を中断させるか否かを決定してもよい。
【００５８】
データソースアクセス回路のソースがワイヤレスネットワークであるときに、移動体通信デバイスのネットワーク帯域幅利用可能性に基づいて移動体通信デバイスのデータソースアクセス回路を中断させることは、移動体通信デバイスが帯域幅を節約することを可能にする。ユーザが聞くことに関心がない（ミュート状態中）オーディオコンテンツを受け取るための帯域幅の使用量を減少させることによって、移動体通信デバイスの他のコンポーネントが、利用可能なネットワーク帯域幅にアクセスできる。
【００５９】
ここで開示した実施形態に関連して記述した、方法またはアルゴリズムのステップは、ハードウェアで、プロセッサによって実行されるソフトウェアモジュールで、または、２つのものを組み合わせたもので直接的に具体化されてもよい。ソフトウェアモジュールは、ランダムアクセスメモリ（ＲＡＭ）、フラッシュメモリ、リードオンリーメモリ（ＲＯＭ）、プログラマブルリードオンリーメモリ（ＰＲＯＭ）、消去可能なプログラマブルリードオンリーメモリ（ＥＰＲＯＭ）、電気的に消去可能なプログラマブルリードオンリーメモリ（ＥＥＰＲＯＭ）、レジスタ、ハードディスク、リムーバルディスク、コンパクトディスクリードオンリーメモリ（ＣＤ−ＲＯＭ）、または技術的に知られている記憶媒体の他の何らかの形態で存在していてもよい。プロセッサが記憶媒体から情報を読み取ったり、記憶媒体に情報を書き込んだりできるように、例示的な記憶媒体はプロセッサに結合されている。代替実施形態では、記憶媒体はプロセッサと一体化させてもよい。プロセッサおよび記憶媒体は、特定用途向け集積回路（ＡＳＩＣ）中に存在していてもよい。ＡＳＩＣは、コンピューティングデバイスまたはユーザ端末中に存在していてもよい。代替実施形態では、プロセッサおよび記憶媒体は、コンピューティングデバイスまたはユーザ端末中にディスクリートコンポーネントとして存在していてもよい。
【００６０】
開示した実施形態の前の記述は、当業者が開示した実施形態を製作または使用できるように提供されている。これらの実施形態に対するさまざま改良は当業者に容易に明らかとなり、ここに定義された原理は、本開示の範囲から逸脱することなく、他の実施形態に適用されてもよい。したがって、本開示は、ここに示した、実施形態に限定されることを意図しているものではないが、以下の特許請求の範囲によって規定したような、原理および新規な特徴と矛盾しない可能な最も広範囲に一致させるべきである。
【図１】
2013535933.tif 000003
【図２】
2013535933.tif 000004
【図３】
2013535933.tif 000005
【図４】
2013535933.tif 000006
【図５】
2013535933.tif 000007
【図６】
2013535933.tif 000008
【図７】
2013535933.tif 000009
【手続補正書】
【提出日】平成25年4月16日(2013.4.16)
【手続補正１】
【補正対象書類名】特許請求の範囲
【補正対象項目名】全文
【補正方法】変更
【補正の内容】
【特許請求の範囲】
【請求項１】
移動体通信デバイスがオーディオ処理を実行している間、前記移動体通信デバイスにおいて、ユーザによりアクティブ化されたミュートコマンドを受け取ることと、
前記ミュートコマンドの受け取りに応答して、前記移動体通信デバイスのオペレーティング条件をモニタリングすることと、
前記モニタリングされたオペレーティング条件に基づいて、前記オーディオ処理を実行するために使用されるコンポーネントを中断させるか否かを決定することとを含む方法。
【請求項２】
前記オペレーティング条件は、前記移動体通信デバイスに対して利用可能なネットワーク帯域幅を含む請求項１記載の方法。
【請求項３】
前記オペレーティング条件は、前記移動体通信デバイスのバッテリー電力レベルを含む請求項１記載の方法。
【請求項４】
前記オペレーティング条件は、前記移動体通信デバイスの温度を含む請求項１記載の方法。
【請求項５】
前記コンポーネントは、データソースアクセス回路、セキュリティ回路、逆圧縮およびデコーディング回路、ポストデコーディング処理回路、または描出デバイスのうちの１つである請求項１記載の方法。
【請求項６】
前記コンポーネントを中断させることは、
オーディオデコーダへの到来オーディオデータストリームをブロックすることと、
前記オーディオデコーダを電源切断することとを含む請求項１記載の方法。
【請求項７】
前記ミュートコマンドが非アクティブ化されたことに応答してオーディオデータストリームの再同期を可能にするように、前記コンポーネントが中断されている間、経過時間を維持することをさらに含む請求項１記載の方法。
【請求項８】
オーディオデータとビデオデータとを含むパケットストリームを受け取ることをさらに含む請求項１記載の方法。
【請求項９】
しきい値を超えている前記オペレーティング条件に応答して、前記移動体通信デバイスにおける、オーディオデータのデコーディングを一時停止させながら、前記ビデオデータに対応するビデオコンテンツを表示させることをさらに含む請求項８記載の方法。
【請求項１０】
しきい値を超えている前記オペレーティング条件に応答して、前記移動体通信デバイスにおける、スピーカーへの前記オーディオデータの提供を一時停止させながら、前記ビデオデータに対応するビデオコンテンツを表示させることをさらに含む請求項８記載の方法。
【請求項１１】
バッテリー電力が第１のしきい値より下であるときには、前記データソースアクセス回路のソースに基づいて、データソースアクセス回路を中断させるか否かを決定することをさらに含む請求項１記載の方法。
【請求項１２】
前記バッテリー電力レベルが、前記第１のしきい値より下であり、かつ、前記データソースアクセス回路のソースが、セキュアデジタル（ＳＤ）カードと、ユニバーサルシリアルバス（ＵＳＢ）と、ネットワーク接続とのうちの１つであるときに、前記データソースアクセス回路を中断させることをさらに含む請求項１１記載の方法。
【請求項１３】
ネットワーク帯域幅が第２のしきい値より下であるときには、前記データソースアクセス回路のソースに基づいて、データソースアクセス回路を中断させるか否かを決定することをさらに含む請求項１記載の方法。
【請求項１４】
前記ネットワーク帯域幅が前記第２のしきい値より下であり、かつ、前記データソースアクセス回路のソースがワイヤレスネットワークであるときには、前記データソースアクセス回路を中断させることをさらに含む請求項１３記載の方法。
【請求項１５】
少なくとも１つの処理コンポーネントを備えるメディア処理システムと、
制御装置とを具備し、
前記制御装置は、
ユーザによりアクティブ化されたミュートコマンドを受け取るための第１の入力と、
オペレーティング条件を受け取るための第２の入力と、
前記少なくとも１つの処理コンポーネントの電力消費条件を選択的に変更するための制御信号を提供するための出力とを備える装置。
【請求項１６】
前記少なくとも１つの処理コンポーネントは、データソースアクセス回路、セキュリティ回路、逆圧縮およびデコーディング回路、ポストデコーディング処理回路、または描出デバイスのうちの１つであり、前記電力レベル消費条件を選択的に変更することは、低電力状態に移行させることを含む請求項１５記載の装置。
【請求項１７】
前記少なくとも１つの処理コンポーネントは、描出デバイスであり、前記制御装置は、第１の時間の長さが過ぎたとき、前記描出デバイスを中断させた後に、ポストデコーディング処理回路を中断させるように構成されている請求項１５記載の装置。
【請求項１８】
前記制御装置は、第２の時間の長さが過ぎたとき、前記描出デバイスの中断の後に、逆
圧縮およびデコーディング回路を中断させるようにさらに構成されている請求項１７記載の装置。
【請求項１９】
前記制御装置は、第３の時間の長さが過ぎたとき、前記逆圧縮およびデコーディング回路デバイスの中断の後に、セキュリティ回路を中断させるように構成されている請求項１６記載の装置。
【請求項２０】
前記制御装置は、第４の時間の長さが過ぎたとき、前記セキュリティ回路の中断の後に、データソースアクセス回路を中断させるようにさらに構成されている請求項１９記載の装置。
【請求項２１】
移動体通信デバイスがオーディオコンテンツ処理を実行している間、前記移動体通信デバイスにおいて、ユーザによりアクティブ化されたミュートコマンドを受け取る手段と、
前記ミュートコマンドの受け取りに応答して、前記移動体通信デバイスのオペレーティング条件をモニタリングする手段と、
前記モニタリングされたオペレーティング条件に基づいて、前記オーディオコンテンツ処理を実行するために使用されるコンポーネントを中断させるか否かを決定する手段とを具備する装置。
【請求項２２】
前記装置は、移動体通信デバイスに組み込まれている請求項２１記載の装置。
【請求項２３】
コンピュータによって実行される命令を記憶するコンピュータ読み取り可能媒体において、
前記命令は、
移動体通信デバイスがオーディオコンテンツ処理を実行している間、前記移動体通信デバイスにおいて、ユーザによりアクティブ化されたミュートコマンドを検出するための、前記コンピュータによって実行可能である命令と、
前記ミュートコマンドの受け取りに応答して前記移動体通信デバイスのオペレーティング条件をモニタリングするための、前記コンピュータによって実行可能である命令と、
前記モニタリングされたオペレーティング条件に基づいて、前記オーディオコンテンツ処理を実行するために使用されるコンポーネントを中断させるか否かを決定するための、前記コンピュータによって実行可能である命令とを含むコンピュータ読み取り可能媒体。
【請求項２４】
前記コンピュータは、移動体通信デバイスに組み込まれている請求項２３記載のコンピュータ読み取り可能媒体。
【手続補正２】
【補正対象書類名】明細書
【補正対象項目名】００６０
【補正方法】変更
【補正の内容】
【００６０】
開示した実施形態の前の記述は、当業者が開示した実施形態を製作または使用できるように提供されている。これらの実施形態に対するさまざま改良は当業者に容易に明らかとなり、ここに定義された原理は、本開示の範囲から逸脱することなく、他の実施形態に適用されてもよい。したがって、本開示は、ここに示した、実施形態に限定されることを意図しているものではないが、以下の特許請求の範囲によって規定したような、原理および新規な特徴と矛盾しない可能な最も広範囲に一致させるべきである。
以下に、本願出願の当初の特許請求の範囲に記載された発明を付記する。
［１］移動体通信デバイスがオーディオ処理を実行している間、前記移動体通信デバイスにおいてミュートコマンドを受け取ることと、
前記ミュートコマンドの受け取りに応答して、前記移動体通信デバイスのオペレーティング条件をモニタリングすることと、
前記モニタリングされたオペレーティング条件に基づいて、前記オーディオ処理を実行するために使用されるコンポーネントを中断させるか否かを決定することとを含む方法。
［２］前記オペレーティング条件は、前記移動体通信デバイスに対して利用可能なネットワーク帯域幅を含む［１］記載の方法。
［３］前記オペレーティング条件は、前記移動体通信デバイスのバッテリー電力レベルを含む［１］記載の方法。
［４］前記オペレーティング条件は、前記移動体通信デバイスの温度を含む［１］記載の方法。
［５］前記ミュートコマンドは、ユーザにより開始される［１］記載の方法。
［６］前記コンポーネントは、データソースアクセス回路、セキュリティ回路、逆圧縮およびデコーディング回路、ポストデコーディング処理回路、または描出デバイスのうちの１つである［１］記載の方法。
［７］前記コンポーネントを中断させることは、
オーディオデコーダへの到来オーディオデータストリームをブロックすることと、
前記オーディオデコーダを電源切断することとを含む［１］記載の方法。
［８］前記ミュートコマンドが非アクティブ化されたことに応答してオーディオデータストリームの再同期を可能にするように、前記コンポーネントが中断されている間、経過時間を維持することをさらに含む［１］記載の方法。
［９］オーディオデータとビデオデータとを含むパケットストリームを受け取ることをさらに含む［１］記載の方法。
［１０］しきい値を超えている前記オペレーティング条件に応答して、前記移動体通信デバイスにおける、オーディオデータのデコーディングを一時停止させながら、前記ビデオデータに対応するビデオコンテンツを表示させることをさらに含む［９］記載の方法。
［１１］しきい値を超えている前記オペレーティング条件に応答して、前記移動体通信デバイスにおける、スピーカーへの前記オーディオデータの提供を一時停止させながら、前記ビデオデータに対応するビデオコンテンツを表示させることをさらに含む［９］記載の方法。
［１２］バッテリー電力が第１のしきい値より下であるときには、前記データソースアクセス回路のソースに基づいて、データソースアクセス回路を中断させるか否かを決定することをさらに含む［１］記載の方法。
［１３］前記バッテリー電力レベルが、前記第１のしきい値より下であり、かつ、前記データソースアクセス回路のソースが、セキュアデジタル（ＳＤ）カードと、ユニバーサルシリアルバス（ＵＳＢ）と、ネットワーク接続とのうちの１つであるときに、前記データソースアクセス回路を中断させることをさらに含む［１２］記載の方法。
［１４］ネットワーク帯域幅が第２のしきい値より下であるときには、前記データソースアクセス回路のソースに基づいて、データソースアクセス回路を中断させるか否かを決定することをさらに含む［１］記載の方法。
［１５］前記ネットワーク帯域幅が前記第２のしきい値より下であり、かつ、前記データソースアクセス回路のソースがワイヤレスネットワークであるときには、前記データソースアクセス回路を中断させることをさらに含む［１４］記載の方法。
［１６］少なくとも１つの処理コンポーネントを備えるメディア処理システムと、
制御装置とを具備し、
前記制御装置は、
ミュートコマンドを受け取るための第１の入力と、
オペレーティング条件を受け取るための第２の入力と、
前記少なくとも１つの処理コンポーネントの電力消費条件を選択的に変更するための制御信号を提供するための出力とを備える装置。
［１７］前記少なくとも１つの処理コンポーネントは、データソースアクセス回路、セキュリティ回路、逆圧縮およびデコーディング回路、ポストデコーディング処理回路、または描出デバイスのうちの１つであり、前記電力レベル消費条件を選択的に変更することは、低電力状態に移行させることを含む［１６］記載の装置。
［１８］前記少なくとも１つの処理コンポーネントは、描出デバイスであり、前記制御装置は、第１の時間の長さが過ぎたとき、前記描出デバイスを中断させた後に、ポストデコーディング処理回路を中断させるように構成されている［１６］記載の装置。
［１９］前記制御装置は、第２の時間の長さが過ぎたとき、前記描出デバイスの中断の後に、逆
圧縮およびデコーディング回路を中断させるようにさらに構成されている［１８］記載の装置。
［２０］前記制御装置は、第３の時間の長さが過ぎたとき、前記逆圧縮およびデコーディング回路デバイスの中断の後に、セキュリティ回路を中断させるように構成されている［１７］記載の装置。
［２１］前記制御装置は、第４の時間の長さが過ぎたとき、前記セキュリティ回路の中断の後に、データソースアクセス回路を中断させるようにさらに構成されている［２０］記載の装置。
［２２］前記ミュートコマンドは、ユーザインターフェースにおける入力に応答して受け取られる［１６］記載の装置。
［２３］移動体通信デバイスがオーディオコンテンツ処理を実行している間、前記移動体通信デバイスにおいてミュートコマンドを受け取る手段と、
前記ミュートコマンドの受け取りに応答して、前記移動体通信デバイスのオペレーティング条件をモニタリングする手段と、
前記モニタリングされたオペレーティング条件に基づいて、前記オーディオコンテンツ処理を実行するために使用されるコンポーネントを中断させるか否かを決定する手段とを具備する装置。
［２４］前記装置は、移動体通信デバイスに組み込まれている［２３］記載の装置。
［２５］コンピュータによって実行される命令を記憶するコンピュータ読み取り可能媒体において、
前記命令は、
移動体通信デバイスがオーディオコンテンツ処理を実行している間、前記移動体通信デバイスにおいてミュートコマンドを検出するための、前記コンピュータによって実行可能である命令と、
前記ミュートコマンドの受け取りに応答して前記移動体通信デバイスのオペレーティング条件をモニタリングするための、前記コンピュータによって実行可能である命令と、
前記モニタリングされたオペレーティング条件に基づいて、前記オーディオコンテンツ処理を実行するために使用されるコンポーネントを中断させるか否かを決定するための、前記コンピュータによって実行可能である命令とを含むコンピュータ読み取り可能媒体。
［２６］前記コンピュータは、移動体通信デバイスに組み込まれている［２５］記載のコンピュータ読み取り可能媒体。
【手続補正書】
【提出日】平成25年4月26日(2013.4.26)
【手続補正１】
【補正対象書類名】特許請求の範囲
【補正対象項目名】全文
【補正方法】変更
【補正の内容】
【特許請求の範囲】
【請求項１】
移動体通信デバイスがオーディオ処理を実行している間、前記移動体通信デバイスにおいて、ユーザによりアクティブ化されたミュートコマンドを受け取ることと、
前記ミュートコマンドの受け取りに応答して、前記移動体通信デバイスのオペレーティング条件をモニタリングすることと、
前記モニタリングされたオペレーティング条件に基づいて、前記オーディオ処理を実行するために使用されるコンポーネントを中断させるか否かを決定することと、
前記オーディオ処理を実行するために使用される前記コンポーネントを中断させてから第１の時間の長さが経った後に、第２のコンポーネントを中断させるか否かを決定することとを含む方法。
【請求項２】
前記オペレーティング条件は、前記移動体通信デバイスに対して利用可能なネットワーク帯域幅を含む請求項１記載の方法。
【請求項３】
前記オペレーティング条件は、前記移動体通信デバイスのバッテリー電力レベルを含む請求項１記載の方法。
【請求項４】
前記オペレーティング条件は、前記移動体通信デバイスの温度を含む請求項１記載の方法。
【請求項５】
前記コンポーネントは、データソースアクセス回路、セキュリティ回路、逆圧縮およびデコーディング回路、ポストデコーディング処理回路、または描出デバイスのうちの１つである請求項１記載の方法。
【請求項６】
前記コンポーネントを中断させることは、
オーディオデコーダへの到来オーディオデータストリームをブロックすることと、
前記オーディオデコーダを電源切断することとを含む請求項１記載の方法。
【請求項７】
前記ミュートコマンドが非アクティブ化されたことに応答してオーディオデータストリームの再同期を可能にするように、前記コンポーネントが中断されている間、経過時間を維持することをさらに含む請求項１記載の方法。
【請求項８】
オーディオデータとビデオデータとを含むパケットストリームを受け取ることをさらに含む請求項１記載の方法。
【請求項９】
しきい値を超えている前記オペレーティング条件に応答して、前記移動体通信デバイスにおける、オーディオデータのデコーディングを一時停止させながら、前記ビデオデータに対応するビデオコンテンツを表示させることをさらに含む請求項８記載の方法。
【請求項１０】
しきい値を超えている前記オペレーティング条件に応答して、前記移動体通信デバイスにおける、スピーカーへの前記オーディオデータの提供を一時停止させながら、前記ビデオデータに対応するビデオコンテンツを表示させることをさらに含む請求項８記載の方法。
【請求項１１】
バッテリー電力が第１のしきい値より下であるときには、前記データソースアクセス回路のソースに基づいて、データソースアクセス回路を中断させるか否かを決定することをさらに含む請求項１記載の方法。
【請求項１２】
前記バッテリー電力レベルが、前記第１のしきい値より下であり、かつ、前記データソースアクセス回路のソースが、セキュアデジタル（ＳＤ）カードと、ユニバーサルシリアルバス（ＵＳＢ）と、ネットワーク接続とのうちの１つであるときに、前記データソースアクセス回路を中断させることをさらに含む請求項１１記載の方法。
【請求項１３】
ネットワーク帯域幅が第２のしきい値より下であるときには、前記データソースアクセス回路のソースに基づいて、データソースアクセス回路を中断させるか否かを決定することをさらに含む請求項１記載の方法。
【請求項１４】
前記ネットワーク帯域幅が前記第２のしきい値より下であり、かつ、前記データソースアクセス回路のソースがワイヤレスネットワークであるときには、前記データソースアクセス回路を中断させることをさらに含む請求項１３記載の方法。
【請求項１５】
少なくとも１つの処理コンポーネントを備えるメディア処理システムと、
制御装置とを具備し、
前記制御装置は、
ユーザによりアクティブ化されたミュートコマンドを受け取るための第１の入力と、
オペレーティング条件を受け取るための第２の入力と、
前記少なくとも１つの処理コンポーネントの電力消費条件を選択的に変更するための制御信号を提供するための出力と、
前記少なくとも１つの処理コンポーネントの前記電力消費条件を変更してから第１の時間の長さが経った後に、付加的な処理コンポーネントの付加的な電力消費条件を選択的に変更するための制御信号を提供するための付加的な出力とを備える装置。
【請求項１６】
前記少なくとも１つの処理コンポーネントは、データソースアクセス回路、セキュリティ回路、逆圧縮およびデコーディング回路、ポストデコーディング処理回路、または描出デバイスのうちの１つであり、前記電力レベル消費条件を選択的に変更することは、低電力状態に移行させることを含む請求項１５記載の装置。
【請求項１７】
前記少なくとも１つの処理コンポーネントは、描出デバイスであり、前記制御装置は、前記第１の時間の長さが過ぎたとき、前記描出デバイスを中断させた後に、ポストデコーディング処理回路を中断させるように構成されている請求項１５記載の装置。
【請求項１８】
前記制御装置は、第２の時間の長さが過ぎたとき、前記描出デバイスの中断の後に、逆
圧縮およびデコーディング回路を中断させるようにさらに構成されている請求項１７記載の装置。
【請求項１９】
前記制御装置は、第３の時間の長さが過ぎたとき、前記逆圧縮およびデコーディング回路デバイスの中断の後に、セキュリティ回路を中断させるように構成されている請求項１６記載の装置。
【請求項２０】
前記制御装置は、第４の時間の長さが過ぎたとき、前記セキュリティ回路の中断の後に、データソースアクセス回路を中断させるようにさらに構成されている請求項１９記載の装置。
【請求項２１】
移動体通信デバイスがオーディオコンテンツ処理を実行している間、前記移動体通信デバイスにおいて、ユーザによりアクティブ化されたミュートコマンドを受け取る手段と、
前記ミュートコマンドの受け取りに応答して、前記移動体通信デバイスのオペレーティング条件をモニタリングする手段と、
前記モニタリングされたオペレーティング条件に基づいて、前記オーディオコンテンツ処理を実行するために使用されるコンポーネントを中断させるか否かを決定する手段と、
前記オーディオコンテンツ処理を実行するために使用される前記コンポーネントを中断させてから第１の時間の長さが経った後に、第２のコンポーネントを中断させるか否かを決定する手段とを具備する装置。
【請求項２２】
前記装置は、移動体通信デバイスに組み込まれている請求項２１記載の装置。
【請求項２３】
コンピュータによって実行される命令を記憶するコンピュータ読み取り可能媒体において、
前記命令は、
移動体通信デバイスがオーディオコンテンツ処理を実行している間、前記移動体通信デバイスにおいて、ユーザによりアクティブ化されたミュートコマンドを検出するための、前記コンピュータによって実行可能である命令と、
前記ミュートコマンドの受け取りに応答して前記移動体通信デバイスのオペレーティング条件をモニタリングするための、前記コンピュータによって実行可能である命令と、
前記モニタリングされたオペレーティング条件に基づいて、前記オーディオコンテンツ処理を実行するために使用されるコンポーネントを中断させるか否かを決定するための、前記コンピュータによって実行可能である命令と、
前記オーディオコンテンツ処理を実行するために使用される前記コンポーネントを中断させてから第１の時間の長さが経った後に、第２のコンポーネントを中断させるか否かを決定するための、前記コンピュータによって実行可能である命令とを含むコンピュータ読み取り可能媒体。
【請求項２４】
前記コンピュータは、移動体通信デバイスに組み込まれている請求項２３記載のコンピュータ読み取り可能媒体。
【国際調査報告】
2013535933.tif 000010
2013535933.tif 000011